(57)【要約】      （修正有）【課題】店舗で販売される商品の売り上げが効率的に増大するように広告を表示する広告表示制御装置、広告表示制御方法、及び広告表示制御プログラムを提供する。【解決手段】広告表示制御装置（情報提供サーバ）において、システム制御部１１は、ユーザが利用する携帯端末の位置を示す端末位置情報を取得する端末位置情報取得部と、複数の店舗のうち所定店舗の位置を示す店舗位置情報を取得する店舗位置情報取得部と、を有する。端末位置情報に示される携帯端末の位置が、店舗位置情報に示される所定店舗の位置に対応した所定範囲内にない場合、複数の店舗の少なくとも何れかで販売される第１商品であって、ユーザの属性に応じた第１商品の広告を示す第１広告情報を携帯端末に表示させ、端末位置情報に示される携帯端末の位置が所定範囲内にある場合、所定店舗で取り扱われている第２商品の広告を示す第２広告情報を携帯端末に表示させる。【選択図】図５
2020201582.tif 000002
【特許請求の範囲】
【請求項１】
ユーザが利用する携帯端末の位置を示す端末位置情報を取得する端末位置情報取得手段と、
複数の店舗のうち所定店舗の位置を示す店舗位置情報を記憶する記憶手段から、前記店舗位置情報を取得する店舗位置情報取得手段と、
前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御手段と、
前記端末位置情報に示される前記携帯端末の位置が前記所定範囲内にある場合、前記所定店舗で取り扱われている第２商品の広告を示す第２広告情報を前記携帯端末に表示させる第２表示制御手段と、
を備えることを特徴とする広告表示制御装置。
【請求項２】
前記第２表示制御手段は、前記ユーザの属性に応じた前記第１商品のうち、前記所定店舗で取り扱われている前記第２商品について、前記第２広告情報を表示させることを特徴とする請求項１に記載の広告表示制御装置。
【請求項３】
前記第２広告情報は、前記第２商品に関する商品情報と、前記第２商品を購入したユーザに対して付与される特典の価額を示す特典情報と、を含み、
前記所定店舗について、前記第２商品の販売期限が設定されており、
前記第２表示制御手段は、前記販売期限までの残時間が短いほど、前記特典の価額としてより高い価額を示す前記特典情報を含む前記第２広告情報を表示させることを特徴とする請求項１又は２に記載の広告表示制御装置。
【請求項４】
前記所定店舗で取り扱われている少なくとも一の商品それぞれの該所定店舗における存在状況を管理する管理装置から、前記存在状況を示す存在状況情報を受信する受信手段を更に備え、
前記第２表示制御手段は、前記存在状況情報に基づいて、前記少なくとも一の商品のうち前記所定店舗に存在している商品を、前記第２広告情報を表示させる前記第２商品として特定することを特徴とする請求項１乃至３の何れか一項に記載の広告表示制御装置。
【請求項５】
前記第２表示制御手段は、前記第１広告情報及び前記第２広告情報の両方を表示させることを特徴とする請求項１乃至４の何れか一項に記載の広告表示制御装置。
【請求項６】
前記第２表示制御手段は、前記所定店舗における商品の陳列スペースのうち、所定陳列スペースに陳列されている、同一カテゴリに属する複数の前記第２商品それぞれの複数の前記第２広告情報を同時に表示させることを特徴とする請求項１乃至５の何れか一項に記載の広告表示制御装置。
【請求項７】
前記所定陳列スペースに陳列されている商品を検出する検出装置から出力された、前記検出された商品を示す陳列情報を取得する陳列情報取得手段を更に備え、
前記第２表示制御手段は、前記取得された陳列情報に基づいて、前記所定陳列スペースに陳列されている、同一カテゴリに属する前記複数の第２商品を特定することを特徴とする請求項６に記載の広告表示制御装置。
【請求項８】
前記ユーザの属性は、該ユーザによる商品の購入履歴に基づいて設定されることを特徴とする請求項１乃至７の何れか一項に記載の広告表示制御装置。
【請求項９】
コンピュータにより実行される広告表示制御方法において、
ユーザが利用する携帯端末の位置を示す端末位置情報を取得する端末位置情報取得ステップと、
複数の店舗のうち所定店舗の位置を示す店舗位置情報を記憶する記憶手段から、前記店舗位置情報を取得する店舗位置情報取得ステップと、
前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御ステップと、
前記端末位置情報に示される前記携帯端末の位置が前記所定範囲内にある場合、前記所定店舗で取り扱われている第２商品の広告を示す第２広告情報を前記携帯端末に表示させる第２表示制御ステップと、
を含むことを特徴とする広告表示制御方法。
【請求項１０】
コンピュータを、
ユーザが利用する携帯端末の位置を示す端末位置情報を取得する端末位置情報取得手段と、
複数の店舗のうち所定店舗の位置を示す店舗位置情報を記憶する記憶手段から、前記店舗位置情報を取得する店舗位置情報取得手段と、
前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御手段と、
前記端末位置情報に示される前記携帯端末の位置が前記所定範囲内にある場合、前記所定店舗で取り扱われている第２商品の広告を示す第２広告情報を前記携帯端末に表示させる第２表示制御手段と、
として機能させることを特徴とする広告表示制御プログラム。
【発明の詳細な説明】
【技術分野】
【０００１】
本発明は、店舗で販売される商品の広告を端末装置に表示させる方法の技術分野に関する。
【背景技術】
【０００２】
従来、インターネット広告等、ユーザが利用する端末装置に商品の広告を表示させるシステムが知られている。このようなシステムにおいて、商品の売り上げを増大させるためには、如何なる商品について広告を表示させるかが重要となってくる。
【０００３】
例えば、特許文献１には、ユーザの属性に基づいて、広告データを配信する方法が開示されている。具体的に、この方法では、テレビ電話で撮影されたユーザの顔画像の特徴に対応するユーザの属性、例えば性別、年代等を特定する。そして、特定したユーザの属性に対応する広告データを抽出して、テレビ電話に配信する。
【先行技術文献】
【特許文献】
【０００４】
【特許文献１】特開２００９−１８６６３０号公報
【発明の概要】
【発明が解決しようとする課題】
【０００５】
実店舗で商品を購入する場合には、オンラインショッピングの場合とは異なり、一般的にユーザはその店舗へ直接行く必要がある。こうした移動の手間を考慮すると、従来技術のように、単純にユーザの属性に基づいて広告を表示させていたのでは、店舗で販売される商品の売り上げの増大にも限界がある。
【０００６】
本願発明は以上の点に鑑みてなされてものであり、店舗で販売される商品の売り上げが効率的に増大するように広告を表示させることが可能な広告表示制御装置、広告表示制御方法、及び広告表示制御プログラムを提供することを目的とする。
【課題を解決するための手段】
【０００７】
上記課題を解決するために、請求項１に記載の発明は、ユーザが利用する携帯端末の位置を示す端末位置情報を取得する端末位置情報取得手段と、複数の店舗のうち所定店舗の位置を示す店舗位置情報を記憶する記憶手段から、前記店舗位置情報を取得する店舗位置情報取得手段と、前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御手段と、前記端末位置情報に示される前記携帯端末の位置が前記所定範囲内にある場合、前記所定店舗で取り扱われている第２商品の広告を示す第２広告情報を前記携帯端末に表示させる第２表示制御手段と、を備えることを特徴とする。
【０００８】
この発明によれば、携帯端末が所定店舗の近くに位置していない場合、何れかの店舗で販売される商品であって、ユーザの属性に応じた商品の広告情報が表示される。ユーザの属性に応じた商品は、そのユーザによって購入される蓋然性が高い商品である。従って、店舗で販売される商品の売り上げが増大する。携帯端末が所定店舗内又はその店舗の近くに位置している場合、その所定店舗で取り扱われている商品の広告情報が表される。ユーザが所定店舗内にいるか又はその所定店舗の近くにいるのであれば、その所定店舗で商品を購入するためのユーザによる移動は不要であるか又は容易である。そのため、この場合、ユーザの属性に応じた商品ではあるものの近くにある店舗で取り扱われていない商品よりも、近くの店舗で取り扱われている商品の方が、ユーザによって購入される蓋然性が高い。従って、ユーザと所定店舗との位置関係に応じて、店舗で販売される商品の売り上げが効率的に増大するように広告を表示させることができる。
【０００９】
請求項２に記載の発明は、前記第２表示制御手段は、前記ユーザの属性に応じた前記第１商品のうち、前記所定店舗で取り扱われている前記第２商品について、前記第２広告情報を表示させることを特徴とする。
【００１０】
この発明によれば、携帯端末が所定店舗の近くに位置している場合、ユーザの属性に応じた商品であることと、所定店舗で取り扱われている商品であることとの両方の条件を満たす商品の広告情報が表示される。従って、所定店舗で取り扱われている商品がユーザに購入される蓋然性を高めることができる。
【００１１】
請求項３に記載の発明は、前記第２広告情報は、前記第２商品に関する商品情報と、前記第２商品を購入したユーザに対して付与される特典の価額を示す特典情報と、を含み、前記所定店舗について、前記第２商品の販売期限が設定されており、前記第２表示制御手段は、前記販売期限までの残時間が短いほど、前記特典の価額としてより高い価額を示す前記特典情報を含む前記第２広告情報を表示させることを特徴とする。
【００１２】
この発明によれば、商品を購入した場合に付与される特典の価額を示す特典情報を含む広告情報が表示される。また、商品の販売期限までの残時間が短いほど、特典の価額が高くなる。従って、商品が売れ残ることにより回収又は破棄せざるを得ない商品の数を減少させることができる。
【００１３】
請求項４に記載の発明は、前記所定店舗で取り扱われている少なくとも一の商品それぞれの該所定店舗における存在状況を管理する管理装置から、前記存在状況を示す存在状況情報を受信する受信手段を更に備え、前記第２表示制御手段は、前記存在状況情報に基づいて、前記少なくとも一の商品のうち前記所定店舗に存在している商品を、前記第２広告情報を表示させる前記第２商品として特定することを特徴とする。
【００１４】
この発明によれば、所定店舗に存在している商品についてお得情報が表示される。従って、ユーザが、広告情報が表示された商品をその所定店舗で購入しようとしたにもかかわらず、その商品がなかったという事態の発生を抑制することができる。
【００１５】
請求項５に記載の発明は、前記第２表示制御手段は、前記第１広告情報及び前記第２広告情報の両方を表示させることを特徴とする。
【００１６】
この発明によれば、携帯端末が所定店舗の近くに位置している場合、ユーザの属性に応じた商品の広告情報と、所定店舗で取り扱われている商品の広告情報とがそれぞれ表示される。従って、ユーザが何れの条件を満たす商品を購入するとしても、商品がユーザに購入される蓋然性を高めることができる。
【００１７】
請求項６に記載の発明は、前記第２表示制御手段は、前記所定店舗における商品の陳列スペースのうち、所定陳列スペースに陳列されている、同一カテゴリに属する複数の前記第２商品それぞれの複数の前記第２広告情報を同時に表示させることを特徴とする。
【００１８】
この発明によれば、所定陳列スペースに陳列されている、同一カテゴリに属する複数の商品それぞれの複数の広告情報が同時に表示される。広告情報が表示された何れかの商品をユーザが購入しようと思った場合、その商品と同一のカテゴリに属する他の商品の広告情報も同時に表示されているので、ユーザは他の商品に興味を持つ可能性がある。ユーザは、当初購入しようと思った商品を購入するために、所定店舗で所定陳列スペースを見ると、所定陳列スペースには、ユーザが当初購入しようと思った商品とともに、その商品と同一のカテゴリの他の商品も陳列されている。ユーザが他の商品に興味を持っている場合、ユーザはその商品を所定陳列スペースから手に取る可能性がある。そのため、ユーザが当初購入しようと思った商品に加えて、ユーザが興味を持った商品も、そのユーザに購入される蓋然性が高くなる。従って、店舗で販売される商品の売り上げを増大させることができる。
【００１９】
請求項７に記載の発明は、前記所定陳列スペースに陳列されている商品を検出する検出装置から出力された、前記検出された商品を示す陳列情報を取得する陳列情報取得手段を更に備え、前記第２表示制御手段は、前記取得された陳列情報に基づいて、前記所定陳列スペースに陳列されている、同一カテゴリに属する前記複数の第２商品を特定することを特徴とする。
【００２０】
この発明によれば、所定陳列スペースに陳列されている商品を適切に特定することができる。
【００２１】
請求項８に記載の発明は、前記ユーザの属性は、該ユーザによる商品の購入履歴に基づいて設定されることを特徴とする。
【００２２】
この発明によれば、ユーザ自身により登録された属性の情報以外からでも、そのユーザの属性を特定することができる。
【００２３】
請求項９に記載の発明は、コンピュータにより実行される広告表示制御方法において、ユーザが利用する携帯端末の位置を示す端末位置情報を取得する端末位置情報取得ステップと、複数の店舗のうち所定店舗の位置を示す店舗位置情報を記憶する記憶手段から、前記店舗位置情報を取得する店舗位置情報取得ステップと、前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御ステップと、前記端末位置情報に示される前記携帯端末の位置が前記所定範囲内にある場合、前記所定店舗で取り扱われている第２商品の広告を示す第２広告情報を前記携帯端末に表示させる第２表示制御ステップと、を含むことを特徴とする。
【００２４】
請求項１０に記載の発明は、コンピュータを、ユーザが利用する携帯端末の位置を示す端末位置情報を取得する端末位置情報取得手段と、複数の店舗のうち所定店舗の位置を示す店舗位置情報を記憶する記憶手段から、前記店舗位置情報を取得する店舗位置情報取得手段と、前記端末位置情報に示される前記携帯端末の位置が、前記店舗位置情報に示される前記所定店舗の位置に対応した所定範囲内にない場合、前記複数の店舗の少なくとも何れかで販売される第１商品であって、前記ユーザの属性に応じた第１商品の広告を示す第１広告情報を前記携帯端末に表示させる第１表示制御手段と、前記端末位置情報に示される前記携帯端末の位置が前記所定範囲内にある場合、前記所定店舗で取り扱われている第２商品の広告を示す第２広告情報を前記携帯端末に表示させる第２表示制御手段と、として機能させることを特徴とする。
【発明の効果】
【００２５】
本発明によれば、ユーザと所定店舗との位置関係に応じて、店舗で販売される商品の売り上げが効率的に増大するように広告を表示させることができる。
【図面の簡単な説明】
【００２６】
【図１】一実施形態に係る情報提供システムＳの概要構成の一例を示す図である。
【図２】（ａ）は、お得情報一覧ページ２００の表示例を示す図である。（ｂ）は、商品詳細ウインドウ２１０の表示例を示す図である。（ｃ）は、ユーザお得情報一覧ページ２２０の表示例を示す図である。
【図３】一実施形態に係る情報提供サーバ１の概要構成の一例を示すブロック図である。
【図４】データベースに記憶される内容の一例を示す図である。
【図５】一実施形態に係る情報提供サーバ１のシステム制御部１１の機能ブロックの一例を示す図である。
【図６】お得情報の表示の制御例を示す図である。
【図７】付加的情報の表示例を示す。
【図８】付加的情報の表示例を示す。
【図９】お得情報の表示例を示す情報である。
【図１０】（ａ）は、或る陳列スペースにおける商品の陳列状況を示す図である。（ｂ）は、お得情報の表示例を示す図である。
【図１１】情報提供サーバ１のシステム制御部１１によるお得情報提供処理の一例を示すフローチャートである。
【発明を実施するための形態】
【００２７】
以下、図面を参照して本発明の実施形態について詳細に説明する。以下に説明する実施形態は、実店舗で販売される商品に関するお得な情報を広告としてユーザに提供し、その商品を実店舗で購入したユーザに対して特典を付与する情報提供システムに対して本発明を適用した場合の実施形態である。お得情報は、商品を購入したユーザに対して特典が付与されることを示す情報である。店舗の種類の例として、コンビニエンスストア、ドラッグストア、スーパーマーケット等が挙げられる。付与される特典は、例えば、商品を購入する際に、その商品との交換価値があるものであってもよい。すなわち、付与される特典は、金銭的又は貨幣的な性質を有してもよい。特典の例として、ポイント、キャッシュバック、商品券等が挙げられる。
【００２８】
［１．情報提供システムの構成］
先ず、本実施形態に係る情報提供システムＳの構成及び機能概要について、図１及び図２を用いて説明する。図１は、本実施形態に係る情報提供システムＳの概要構成の一例を示す図である。
【００２９】
図１に示すように、情報提供システムＳは、情報提供サーバ１と、１又は複数の店舗サーバ２と、複数のユーザ端末３とを備える。情報提供サーバ１〜ユーザ端末３は、ネットワークＮＷを介して互いに接続される。ネットワークＮＷは、例えばインターネット、専用通信回線（例えば、ＣＡＴＶ（Community Antenna Television）回線）、移動体通信網（基地局等を含む）、及びゲートウェイ等により構築されている。
【００３０】
情報提供サーバ１は、商品のお得情報をユーザに提供するとともに、その商品を実店舗で購入してその際に発行されたレシートを提示したユーザに対してポイントを付与するサーバ装置である。お得情報は、その商品を示す商品特定情報と、付与されるポイント数とを関連付けた情報である。ユーザは、例えば実店舗で受け取ったレシートを撮影して、その画像を情報提供サーバ１へ送信する。これにより、ユーザに対してポイントが付与される。特定のユーザが特定の商品を購入したことを判定する方法は、撮影されたレシートの画像を利用した方法に限定されるものではない。情報提供サーバ１は、各店舗のＰＯＳ（Point of sale system）と連携することにより、特定のユーザが特定の商品を購入したことを識別してもよい。例えば、情報提供サーバ１は、情報提供システムＳにおいてユーザを識別するためのユーザＩＤと、そのユーザが利用する電子マネーの識別情報とを関連付けて記憶する。ユーザが電子マネーを用いて店舗で商品を購入すると、店舗サーバ２は、例えばその電子マネーの識別情報と、購入された商品の商品ＩＤとを、情報提供サーバ１へ送信する。
【００３１】
各店舗サーバ２は、実店舗で販売される商品に関する情報を管理する。例えば、ストアチェーン等のように複数の店舗が単一の事業者に関連している場合、その事業者に対して一又は複数の店舗サーバ２が設置されてもよい。独立した店舗に対しては、その単一の店舗に対して一の店舗サーバ２が設置されてもよい。各店舗サーバ２は、商品状況ＤＢ２１を備える。ＤＢは、データベースの略語である。商品状況ＤＢ２１には、対応する店舗で販売される商品のうち少なくとも一の商品のそれぞれについて、商品状況情報が記憶される。商品状況情報は、例えば商品名、商品ＩＤ、価格、在庫情報、販売期限等を含んでもよい。商品ＩＤは、商品を識別する情報である。商品ＩＤは、例えばＪＡＮ（Japanese Article Number Code）コード等の商品コードであってもよい。在庫情報は、店舗における商品の存在状況を示す。例えば、在庫情報は、対応する店舗にその商品が存在しているか否かを示してもよいし、対応する店舗にあるその商品の個数を示してもよい。便宜上、「在庫」という用語を用いているが、在庫情報に示される商品の存在状況は、店舗にある在庫室におけるその商品の保管状況、店舗におけるその商品の陳列状況、及びこれら両方を含み得る。販売期限は、対応する商品について、店舗に存在している商品の販売が許される期限である。販売期限の例として、消費期限、賞味期限、保存期限、保管期限等が挙げられる。例えば、商品が店舗に納入された際に、店舗の従業員等が納入商品についての情報をＰＯＳに入力する。これにより、商品状況ＤＢ２１における在庫情報や販売期限が更新されてもよい。また例えば、レジにおいて商品の清算が行われた際に、在庫情報が更新されてもよい。或いは、各商品に対してＩＣタグが付加されていてもよい。このＩＣタグには、例えば、商品ＩＤ、販売期限等が記録されてもよい。この場合、店舗内に設置されたタグリーダがＩＣタグからの情報を検知することで、在庫情報や販売期限が更新されてもよい。
【００３２】
各ユーザ端末３は、情報提供システムＳを利用するユーザにより利用される携帯用の端末装置である。ユーザ端末３には、ウェブブラウザ等のプログラムが記憶される。ユーザ端末３の例として、スマートフォン、タブレット式コンピュータ等の携帯情報端末、携帯電話機、ＰＤＡ（Personal Digital Assistant）等が挙げられる。各ユーザ端末３は、ユーザの操作に基づいて、情報提供サーバ１からお得情報を受信して画面に表示する。また、各ユーザ端末３は、カメラを備える。更に、各ユーザ端末３は、そのユーザ端末３の位置を示す位置情報を取得する機能を有する。例えば、ＧＰＳ（Global Positioning System）等の衛星測位システムを利用して、位置情報として経緯度が計算されてもよい。また例えば、移動体通信事業者により、基地局を利用した位置情報がユーザ端末３に提供されてもよい。この場合、ユーザ端末３は、そのユーザ端末３の近くにある基地局の位置に対応した経緯度、住所又は郵便番号を、位置情報として取得する。また例えば、少なくとも一部の店舗の付近又はその店舗の内部に、少なくとも一のビーコンが設置されてもよい。このビーコンは、Ｂｌｕｅｔｏｏｔｈ（登録商標）等を用いて、そのビーコンの周囲に向けてビーコン情報を発信する。ビーコン情報は、例えばそのビーコンを識別するビーコンＩＤを含んでもよい。ユーザ端末３がビーコンに接近すると、ユーザ端末３はビーコン情報を受信する。これにより、ユーザ端末３は、ビーコンＩＤを位置情報として取得する。ビーコンＩＤは、対応するビーコンが設置された店舗内又はその店舗の付近にユーザ端末３が位置していることを示している。
【００３３】
図２（ａ）は、お得情報の表示例を示す図である。ユーザ端末３の画面には、例えば図２（ａ）に示すように、お得情報一覧ページ２００が表示される。お得情報一覧ページ２００は、１又は複数のお得情報２０１を含むウェブページである。お得情報２０１は、商品を示す商品特定情報２０２及びその商品を実店舗で購入した場合に発行されたレシートをユーザが提示した場合に付与されるポイント数を示すポイント情報２０３を少なくとも含む。商品特定情報２０２は、例えば商品名及び商品の画像の少なくとも１つを含む。商品特定情報２０２は、更に商品の価格、仕様、説明、キャッチコピー等を含んでもよい。お得情報一覧ページ２００からユーザが何れかのお得情報２０１を選択すると、図２（ｂ）に示すように、商品詳細ウインドウ２１０が表示される。商品詳細ウインドウ２１０は、選択された商品特定情報、ポイント数、ポイントを獲得するための条件、登録ボタン２１１等を含む。ユーザが登録ボタン２１１を押下すると、選択されたお得情報が、ユーザお得情報として登録される。ユーザお得情報は、そのユーザが実際にポイントを獲得可能な商品のお得情報である。その後、ユーザは、ユーザお得情報が登録された商品を購入する。ユーザは、ユーザ端末３を操作して、図２（ｃ）に示すように、ユーザお得情報一覧ページ２２０を表示させる。ユーザお得情報一覧ページ２２０は、１又は複数のユーザお得情報２２１、及び交換ボタン２２２を含む。ユーザお得情報２２１は、例えばユーザに登録された商品の商品特定情報及びポイント数を含む。ユーザは、ユーザお得情報一覧ページ２２０から１又は複数のユーザお得情報２２１を選択して交換ボタン２２２を押下する。すると、ユーザ端末３のカメラが起動するので、ユーザは、店舗で受け取ったレシートを撮影して、その画像をユーザ端末３から情報提供サーバ１へ送信させる。これにより、情報提供サーバ１は、そのユーザに対して、購入された商品に対応するポイントを付与する処理を実行する。
【００３４】
［２．情報提供サーバの構成］
次に、情報提供サーバ１の構成について、図３及び図４を用いて説明する。図３は、本実施形態に係る情報提供サーバ１の概要構成の一例を示すブロック図である。図３に示すように、情報提供サーバ１は、システム制御部１１と、システムバス１２と、入出力インターフェース１３と、記憶部１４と、通信部１５と、を備えている。システム制御部１１と入出力インターフェース１３とは、システムバス１２を介して接続されている。
【００３５】
システム制御部１１は、ＣＰＵ（Central Processing Unit）１１ａ、ＲＯＭ（Read Only Memory）１１ｂ、ＲＡＭ（Random Access Memory）１１ｃ等により構成されている。
【００３６】
入出力インターフェース１３は、記憶部１４及び通信部１５とシステム制御部１１との間のインターフェース処理を行う。
【００３７】
記憶部１４は、例えば、ハードディスクドライブ等により構成されている。この記憶部１４には、会員ＤＢ１４ａ、商品ＤＢ１４ｂ、店舗ＤＢ１４ｃ、購入履歴ＤＢ１４ｄ、ユーザ属性ＤＢ１４ｅ、店舗商品状況ＤＢ１４ｆ等のデータベースが記憶されている。
【００３８】
図４は、データベースに記憶される内容の一例を示す図である。会員ＤＢ１４ａには、情報提供システムＳのユーザに関する会員情報がユーザごとに記憶されている。具体的に、会員ＤＢ１４ａには、会員情報として、ユーザＩＤ、氏名、性別、生年月日、住所、保有ポイント数等の情報が関連付けて記憶される。ユーザＩＤは、ユーザを識別するための識別情報である。保有ポイント数は、ユーザが現在保有しているポイントの数である。
【００３９】
商品ＤＢ１４ｂには、実店舗で販売される様々な商品に関する商品情報が商品ごとに記憶されている。具体的に、商品ＤＢ１４ｂには、商品情報として、商品ＩＤ、カテゴリＩＤ、商品名、商品の画像、価格、付与ポイント数、１又は複数のユーザ属性情報等が関連付けて記憶される。商品ＩＤは、商品を識別するための識別情報である。カテゴリＩＤは、商品が属するカテゴリを識別するための識別情報である。例えば、商品の種類によってカテゴリ分類が行われてもよいし、商品を製造したメーカによってカテゴリ分類が行われてもよい。或いは、種類及びメーカそれぞれに対応したカテゴリＩＤが商品ＤＢ１４ｂに記憶されてもよい。付与ポイント数は、対応する商品を購入したユーザに対して通常付与されるポイント数である。ユーザ属性情報は、如何なる属性のユーザに対してお得情報を表示させるかを示す。具体的に、ユーザ属性情報は、１の属性又は複数の属性の組み合わせを示す。ユーザの属性の例として、性別、年齢、年代、住所地（例えば都道府県等）等が挙げられる。また、店舗におけるユーザの商品の購入履歴等、ユーザの行動から推定されるユーザの傾向が、属性として用いられてもよい。一般的に、ユーザ属性情報は、対応する商品を購入する傾向があるユーザの属性や、対応する商品のメーカがその商品を購入してもらいたいユーザの属性を示す。ユーザ属性情報は、例えばメーカにより予め指定されてもよい。また例えば、情報提供サーバ１は、定期的に購入履歴を分析して、商品ＤＢ１４ｂに対して、ユーザ属性情報の追加、変更及び削除を行ってもよい。
【００４０】
店舗ＤＢ１４ｃには、店舗に関する店舗情報が店舗ごとに記憶される。具体的に、店舗ＤＢ１４ｃには、店舗情報として、店舗ＩＤ、店舗名、店舗位置情報等が関連付けて記憶される。店舗ＩＤは、店舗を識別する識別情報である。店舗位置情報は、店舗が所在する位置を示す。店舗位置情報は、例えば経緯度であってもよいし、住所や郵便番号等であってもよい。また、店舗にビーコンが設置されている場合、店舗位置情報は、そのビーコンのビーコンＩＤを含んでもよい。
【００４１】
購入履歴ＤＢ１４ｄには、店舗におけるユーザによる商品の購入履歴が記憶される。具体的に、購入履歴ＤＢ１４ｄには、購入履歴として、ユーザＩＤ、店舗ＩＤ、商品ＩＤ、購入日時等が関連付けて記憶される。ユーザＩＤ、店舗ＩＤ及び商品ＩＤの組み合わせは、如何なるユーザが如何なる店舗で如何なる商品を購入したかを示す。購入日時は、商品が購入された日時を示す。
【００４２】
ユーザ属性ＤＢ１４ｅには、購入履歴ＤＢ１４ｄに記憶される購入履歴に基づいて少なくとも一のユーザの属性が特定された場合、そのユーザについて特定された属性が記憶される。具体的に、ユーザ属性ＤＢ１４ｅには、ユーザＩＤ、及び一又は複数の属性情報が、属性が特定されたユーザごとに記憶される。属性情報は、対応するユーザについて特定された属性を示す。例えば、或るユーザについて特定種類の商品の購入頻度が高い場合、そのユーザがその種類の商品を好みであることを示す属性情報が記憶されてもよい。また例えば、或るユーザについて特定の時間（時間帯、曜日等）において特定の商品の購入頻度が高い場合、そのユーザがその時間にその商品を購入する傾向があることを示す属性情報が記憶されてもよい。情報提供サーバ１は、例えば定期的に購入履歴を分析して、ユーザ属性ＤＢ１４ｅに対応する属性情報の追加、変更及び削除を行ってもよい。
【００４３】
店舗商品状況ＤＢ１４ｆは、各店舗で販売される商品のうち、お得情報の提供対象となる各商品の状況を示す店舗商品状況情報が記憶される。具体的に、店舗商品状況ＤＢ１４ｆには、店舗商品状況情報として、店舗ＩＤ、商品ＩＤ、在庫情報、販売期限等が関連付けて記憶される。例えば、或る店舗において或る商品が存在するか否かに変化があった場合又は販売期限に変化があった場合、その店舗に対応する店舗サーバ２は、その店舗の店舗ＩＤ、その商品の商品ＩＤ、及び新しい在庫情報又は販売期限を情報提供サーバ１へ送信してもよい。情報提供サーバ１は、店舗サーバ２から受信された情報で、店舗商品状況ＤＢ１４ｆを更新する。
【００４４】
記憶部１４には、更に、オペレーティングシステム、ＤＢＭＳ（Database Management System）、サーバプログラム等の各種プログラムが記憶されている。サーバプログラムは、情報提供システムＳに関する各種処理をシステム制御部１１に実行させるプログラムである。特に、サーバプログラムは、お得情報をユーザ端末３に提供するためのプログラムである。サーバプログラムは、例えば、他の装置からインターネットＮＷを介して取得されるようにしてもよいし、磁気テープ、光ディスク、メモリカード等の記録媒体に記録されてドライブ装置を介して読み込まれるようにしてもよい。
【００４５】
通信部１５は、ネットワークＮＷを介して店舗サーバ２やユーザ端末３と接続し、これらの装置との通信状態を制御する。
【００４６】
［３．システム制御部の機能概要］
次に、図５乃至図１０を用いて、情報提供サーバ１のシステム制御部１１の機能概要について説明する。図５は、本実施形態に係る情報提供サーバ１のシステム制御部１１の機能ブロックの一例を示す図である。システム制御部１１は、ＣＰＵ１１ａが、サーバプログラムに含まれる各種プログラムコードを読み出し実行することにより、図５に示すように、端末位置情報取得部１１１、店舗位置情報取得部１１２、店舗商品状況取得部１１３、お得情報表示制御部１１４等として機能する。
【００４７】
端末位置情報取得部１１１は、ユーザ端末３の位置を示す位置情報を、端末位置情報として取得する。例えば、ユーザがユーザ端末３を操作して、お得情報一覧ページの表示を指示したときに、ユーザ端末３は、お得情報一覧ページの要求を情報提供サーバ１へ送信する。この要求に、現在位置を示す端末位置情報が含まれてもよい。端末位置情報は、ユーザ端末３が位置する場所の経緯度、住所、郵便番号等であってもよい。また例えば、店舗に設置されたビーコンからビーコン情報を受信可能な場所にユーザ端末３が位置する場合、端末位置情報は、そのビーコンのビーコンＩＤを含んでもよい。
【００４８】
店舗位置情報取得部１１２は、複数の店舗のうち所定店舗の位置を示す店舗位置情報を含む店舗ＤＢ１４ｃを記憶する記憶部１４から、店舗位置情報を取得する。ここで、「複数の店舗」とは、特定された複数の店舗を必ずしも示すものではなく、情報提供システムＳにおいてユーザが買い物をするであろうと想定されている種類（例えば、コンビニエンスストア、ドラッグストア、スーパーマーケット等）の一般的な店舗を示している。また、所定店舗は、店舗ＤＢ１４ｃに情報が登録されている店舗である。これらの店舗を登録店舗という。
【００４９】
店舗商品状況取得部１１３は、店舗サーバ２から商品状況情報内の少なくとも一部の情報を取得する。例えば、前述したように、各店舗サーバ２は、商品が存在するか否かが変化したときに、最新の在庫情報を情報提供サーバへ送信したり、販売期限が変化したときに、最新の販売期限を情報提供サーバへ送信したりしてもよい。店舗商品状況取得部１１３は、受信した情報を予め店舗商品状況ＤＢ１４ｆに記憶させておいてもよい。或いは、店舗商品状況取得部１１３は、ユーザ端末３にお得情報を表示させる時点で、店舗に対応する店舗サーバ２から情報を取得してもよい。
【００５０】
お得情報表示制御部１１４は、商品の広告として、お得情報をユーザ端末３に表示させる。例えば、お得情報一覧ページが表示される。特に、お得情報表示制御部１１４は、端末位置情報取得部１１１により取得された端末位置情報、及び店舗位置情報取得部１１２により取得された店舗位置情報に基づいて、お得情報を表示させる商品を決定する。
【００５１】
具体的に、お得情報表示制御部１１４は、端末位置情報に示されるユーザ端末３の位置が、店舗位置情報に示される登録店舗の位置に対応した所定範囲内にあるか否かを判定する。登録店舗の位置に対応した所定範囲は、ユーザ端末３が登録店舗の近くに位置するか否かの判定のために規定される。例えば、所定範囲は、登録店舗を中心とする所定半径の円領域であってもよい。基地局を利用した位置情報を利用した位置情報がユーザ端末３に提供される場合、所定範囲は、例えば、登録店舗から所定距離以内に位置する基地局がユーザ端末３との通信をカバーするセルの範囲であってもよい。登録店舗にビーコンが設置されている場合、所定範囲は、例えば、ユーザ端末３がそのビーコンからビーコン情報を受信可能な領域であってもよい。
【００５２】
ユーザ端末３の位置が、登録店舗の位置に対応した所定範囲内にない場合、お得情報表示制御部１１４は、複数の店舗の少なくとも何れかで販売される商品であって、そのユーザ端末３のユーザの属性に応じた商品の広告を示すお得情報をユーザ端末３に表示させる。この商品を、ユーザ属性対応商品という。ユーザ属性対応商品は、特定された店舗ではないものの、どこかの店舗では購入可能な商品である。ユーザの属性に応じた商品は、例えば、会員ＤＢ１４ａに記憶されているユーザの属性に、商品ＤＢ１４ｂに記憶されているユーザ属性情報が合致する商品であってもよい。また例えば、ユーザの属性に応じた商品は、ユーザ属性ＤＢ１４ｅに記憶されているユーザの属性情報に合致する商品、又はそのユーザの属性情報に商品カテゴリが合致する商品であってもよい。ユーザの属性に応じた商品は、一般的にそのユーザが好きな商品であったり、そのユーザが購入する傾向にある商品であったりする蓋然性がある。これまでの説明を要約すると、ユーザが登録店舗から離れた場所にいる場合、どこかの一般的な店舗で販売されている商品であって、そのユーザが購入する蓋然性が比較的に高い商品のお得情報が表示される。これによって、通常時において、店舗で販売される商品の売り上げの増大が期待される。複数のユーザ属性対応商品についてお得情報の一覧を表示させるとき、お得情報表示制御部１１４は、各商品の表示の優先度を、その商品のメーカから提供される広告料に基づいて決定してもよい。例えば、優先度が高い商品であるほど、そのお得情報が画面の上方に表示され、又はそのお得情報を表示させるためのスクロール操作の負担が小さい。例えば衛星からの電波を受信することができない等の理由により、ユーザ端末３が現在の端末位置情報を取得することができない場合も、お得情報表示制御部１１４は、ユーザ属性対応商品のお得情報を表示させてもよい。
【００５３】
ユーザ端末３の位置が、登録店舗の位置に対応した所定範囲内にある場合、お得情報表示制御部１１４は、その登録店舗で取り扱いがある商品の広告を示すお得情報をユーザ端末３に表示させる。この商品を、付近登録店舗取扱商品という。また、或る登録店舗の位置に対応した所定範囲内にユーザ端末３が位置している場合、その店舗を付近登録店舗という。付近登録店舗で取り扱いがある商品とは、その店舗で通常販売されている商品である。従って、ユーザが登録店舗の近く又はその登録店舗内にいる場合、その登録店舗で販売される商品のお得情報が表示される。
【００５４】
ユーザの現在位置から近くにある店舗又はユーザがいる店舗で販売される商品の方が、そのユーザの属性に応じた商品ではあっても、そのような店舗では販売されていない商品よりも、そのユーザにより購入される蓋然性が高い。すなわち、ユーザ属性対応商品のお得情報を見て、ユーザがその商品を求めてその商品を販売している店舗まで移動するよりも、付近登録店舗取扱商品のお得情報を見て、ユーザが付近にある店舗に移動して又はその場でその商品を購入する方が、ユーザにとって購入行動を取りやすい。こうして、ユーザと登録店舗との位置関係に応じて、お得情報が表示される商品を制御することで、店舗で販売される商品の売り上げが効率的に増大させることができる。
【００５５】
ユーザ端末３の位置が登録店舗の位置に対応した所定範囲内にある場合、お得情報表示制御部１１４は、ユーザ属性対応商品のうち付近登録店舗取扱商品のお得情報を表示させてもよい。両方の条件を満たす商品であれば、ユーザが購入する蓋然性は更に高くなる。ここで、お得情報表示制御部１１４は、付近登録店舗取扱商品のうち、ユーザ属性対応商品のみを表示させてもよい。或いは、お得情報表示制御部１１４は、付近登録店舗取扱商品の全てを表示対象とするものの、それらの商品のうち、ユーザ属性対応商品の表示の優先度を、他の商品の優先度よりも高くしてもよい。
【００５６】
また、ユーザ端末３の位置が登録店舗の位置に対応した所定範囲内にある場合、お得情報表示制御部１１４は、付近登録店舗取扱商品のお得情報のみを表示させてもよい。或いは、お得情報表示制御部１１４は、付近登録店舗取扱商品のお得情報、及びユーザ属性対応商品のお得情報の両方を表示させてもよい。この場合、ユーザが何れの商品の購入を選択したとしても、売り上げを増大させることができる。ここで、お得情報表示制御部１１４は、付近登録店舗取扱商品の表示の優先度を、ユーザ属性対応商品の表示の優先度より高くしてもよい。
【００５７】
ユーザ端末３の位置が登録店舗の位置に対応した所定範囲内にある場合にお得情報が表示される付近登録店舗取扱商品は、ユーザの付近にある登録店舗で購入可能な状況にある商品に限定されてもよい。これにより、その店舗では通常販売されているものの、今現在は一時的に購入することができないような状況にある商品についてはお得情報が表示されない。そのため、ユーザがお得情報を見て店舗に行ったが、商品を購入することができなかったという事態を回避することができる。また、商品を購入することができなかったという事態を回避することで、商品の売り上げを増大させることができる。
【００５８】
登録店舗で購入可能な状況にある商品は、例えばその店舗に存在している商品であってもよい。店舗に存在している商品は、その店舗に在庫がある商品、その店舗に陳列されている商品、又はその両方を満たす商品であってもよい。お得情報表示制御部１１４は、店舗商品状況取得部１１３により店舗サーバ２から取得された在庫情報に基づいて、ユーザの付近にある登録店舗で販売される商品のうちその店舗に存在している商品を、お得情報を表示させる付近登録店舗取扱商品として特定する。登録店舗で購入可能な状況にある商品は、店舗に在庫もなく陳列もされていないが、その店舗で予約購入が可能な商品を更に含んでもよい。
【００５９】
複数の付近登録店舗取扱商品についてお得情報の一覧を表示させるとき、お得情報表示制御部１１４は、ユーザ属性対応商品の場合と同様に、各商品の表示の優先度を広告料に基づいて決定してもよい。或いは、登録店舗側で、各取扱商品の表示の優先度が予め設定されてもよい。設定された優先度は、例えば店舗サーバ２の商品状況ＤＢ２１に記憶される。そして、店舗商品状況取得部１１３が、店舗サーバ２から優先度を取得する。こうして、同一の商品であっても、ユーザが登録店舗から離れている場合は、メーカ側の事情に応じた優先順位でその商品のお得情報が表示され、ユーザが登録店舗の付近又はその登録店舗内に位置しており、且つその商品がその登録店舗で取り扱われている場合、その登録店舗側の事情に応じた優先順位でその商品のお得情報が表示されてもよい。
【００６０】
図６は、お得情報の表示の制御例を示す図である。例えば、商品Ａ〜Ｚが、お得情報の表示対象である商品であるとする。或る登録店舗１０２は、これらの商品のうち、商品Ａ〜Ｆを取り扱っている。商品Ａ、Ｃ〜Ｆは店舗１０２に在庫があり、商品Ｂの在庫はない。領域１０３は、店舗１０２に対応する所定範囲に相当する。ユーザ端末３を所持したユーザ１０１が、当初領域１０３外でユーザ端末３にお得情報一覧ページ２００−１を表示させた。このユーザ端末３では、６個のお得情報を表示可能である。商品Ａ〜Ｚのうち、商品Ｃ、Ｇ、Ｈ、Ｉ、Ｊ及びＫは、ユーザ１０１の属性に応じた商品である。この場合、お得情報一覧ページ２００−１は、これらの商品のお得情報を含む。その後、ユーザ１０１は、領域１０３内に移動して、ユーザ端末３にお得情報一覧ページ２００−２を表示させた。お得情報一覧ページ２００−２は、店舗１０２に在庫がある商品Ａ、Ｃ〜Ｆのお得情報を含む。これらの商品のうち、例えばユーザの属性に応じた商品Ｃのお得情報が優先的に表示されてもよい。また、お得情報一覧ページ２００−２は、商品Ｇ〜Ｚのうち、ユーザの属性の応じた例えば商品Ｇのお得情報を更に含む。
【００６１】
付近登録店舗取扱商品のお得情報を表示させる場合、お得情報表示制御部１１４は、ユーザの付近にその付近登録店舗取扱商品を取り扱っている付近登録店舗が存在することを示す付加的情報も表示させてもよい。図７及び図８は、付加的情報の表示例を示す。図７（ａ）においては、お得情報一覧ページ２００において、付近登録店舗取扱商品のお得情報２０１内に、付加的情報２０４が表示される。店舗名情報２０４として、例えば、「ＸＸＸ限定  渋谷店」等が表示されてもよい。ここで、「ＸＸＸ」は、コンビニエンスストアチェーンの名称であり、「渋谷店」は、そのチェーンにおける店舗名である。お得情報２０１に示されている商品ＡＡＡは、コンビニエンスストアＸＸＸ限定で販売されるため、「限定」という文言が付されている。しかしながら、文言「限定」の表示は必須ではない。図７（ｂ）においては、付近登録店舗取扱商品の商品詳細ウインドウ２１０内に、付加的情報２１２が表示される。付加的情報２１２として、例えば、「近くのＸＸＸで購入できます。」等のメッセージが表示されてもよい。図８（ａ）においては、お得情報一覧ページ２００の上方に、付加的情報２０５が表示される。付加的情報２０５として、例えば「ＸＸＸ渋谷店でＡＡＡコーヒーが購入可能です。」等のメッセージが表示されてもよい。図８（ｂ）においては、お得情報一覧ページ２００において、付近登録店舗取扱商品のお得情報２０１内にアイコン２０６が表示される。ユーザがアイコン２０６を選択すると、付加的情報として、地図ウインドウ２３０が表示される。地図ウインドウ２３０には、ユーザ端末３の周辺の地図が表示される。地図ウインドウ２３０には、例えば、ユーザの位置を示すマーク２３１、及び付近登録店舗の位置を示すマーク２３２が表示される。なお、お得情報表示制御部１１４は、付加的情報を表示させなくてもよい。その理由は、お得情報を見ることにより、ユーザが付近登録店舗取扱商品を購入するために付近の店舗に行った場合、その店舗はその付近登録店舗取扱商品を取り扱っている登録店舗である蓋然性が高いからである。また、メーカとしては、そのメーカの商品が購入されるのであれば、購入先が登録店舗であるか否かは特に問題ではない。
【００６２】
お得情報表示制御部１１４は、お得情報を表示する付近登録店舗取扱商品の販売期限までの残時間が短いほど、特典の価額としてより高い価額を示す特典情報を含むお得情報を表示させてもよい。特典情報は、特典の価額として、例えばポイント数、キャッシュバックされる金額、商品券で購入可能な商品の価格等を示す。本実施形態においては、特典情報としてポイント数が表示される。販売期限までの残時間は、例えば現時点から販売期限までに要する時間である。残時間が短いほど、商品を購入した場合にユーザが獲得することができる特典の価額が高くなるので、売れ残ることによって店舗から回収又は破棄せざるを得ない商品の数を減少させることができる。残時間が短いほど特典の価額が高くなるのであれば、お得情報表示制御部１１４は、如何なるアルゴリズムで特典の価額を決定してもよい。その都度、手動で適当なアルゴリズムを模索して決定してもよい。図９は、お得情報の表示例を示す情報である。店舗１０２に陳列されている商品Ｂの賞味期限が３日後であるとする。この場合に商品Ｂのお得情報２０１には、例えば、１５ポイントを示すポイント情報２０３−１が表示される。その後、商品Ｂの賞味期限が１２時間後になったとする。この場合、商品Ｂのお得情報２０１には、例えば、５０ポイントを示すポイント情報２０３−２が表示される。
【００６３】
お得情報表示制御部１１４は、登録店舗における商品の陳列スペースのうち、所定陳列スペースに陳列されている複数の付近登録店舗取扱商品であって、同一カテゴリに属する複数の付近登録店舗取扱商品それぞれの複数のお得情報を同時に表示させてもよい。すなわち、画面内のお得情報の表示態様を、所定陳列スペースにおける陳列状態に類似させる。ユーザがお得情報を見ることにより、何れかの付近登録店舗取扱商品を購入しようと思ったとする。そのときに、その商品と同一カテゴリの他の商品についてもお得情報が表示されているので、ユーザは、他の商品についても興味を持つ蓋然性がある。ユーザは商品を購入するために付近登録店舗でその商品が陳列されている陳列スペースを見る。その陳列スペースには、ユーザが購入しようと思った商品とともに、そのユーザが興味を持った商品も陳列されている。従って、ユーザは、興味を持った商品を手に取りやすい。その結果、ユーザは、当初購入しようと思った商品に加えて、興味を持った商品も購入する蓋然性がある。このように、店舗で販売される商品の売り上げの増大が期待される。
【００６４】
登録店舗においては、例えば所定陳列スペースに陳列されている商品を検出する検出装置が設置される。図１０（ａ）は、或る陳列スペースにおける商品の陳列状況を示す図である。例えば、所定陳列スペースとして、棚３００には現在、付近登録店舗取扱商品である商品３２１〜３２５が陳列されている。これらの商品は、全てコーヒー飲料である。商品３２１〜３２５それぞれには、商品ＩＤ等の情報が記録されたＩＣタグが付されている。棚３００には、更に検出装置としてＩＣタグリーダ３１０が設置されている。ＩＣタグリーダ３１０は、棚３００内の各商品に付されたＩＣタグの情報を読み取ることにより、その商品を検出する。なお、ＩＣタグリーダ３１０の設置位置や性能、及び棚３００における商品の陳列状態によっては、ＩＣタグリーダ３１０が、棚３００以外の陳列スペースに陳列されている商品を検出したり、棚３００内にある一部の商品を検出することができなかったりする場合がある。しかしながら、これらの事態は特に問題ではない。ＩＣタグリーダ３１０は、棚３００内にある商品のうち少なくとも２以上の商品を検出することができればよい。ＩＣタグリーダ３１０は、所定のネットワークを介して店舗サーバ２に接続される。ＩＣタグリーダ３１０は、例えば検出した商品の商品ＩＤと、そのＩＣタグリーダ３１０が設置された陳列スペースを識別する陳列スペースＩＤを店舗サーバ２へ送信する。店舗サーバ２は、受信された陳列スペースＩＤを、商品ＩＤと関連付けて商品状況ＤＢ２１に記憶させる。
【００６５】
店舗商品状況取得部１１３は、店舗サーバ２から店舗ＩＤ、商品ＩＤ及び陳列スペースＩＤの組み合わせを取得して、店舗商品状況ＤＢ１４ｆに記憶させる。お得情報表示制御部１１４は、お得情報を表示させるとき、店舗商品状況ＤＢ１４ｆに記憶された陳列スペースＩＤを参照することにより、付近登録店舗取扱商品のうち、同一の陳列スペースに陳列されている商品を特定する。また、お得情報表示制御部１１４は、同一の陳列スペースに陳列されている商品のうち、同一のカテゴリに属する複数の商品を抽出する。お得情報表示制御部１１４は、抽出された複数の商品のお得情報を同時に表示させる。例えば、お得情報表示制御部１１４は、所定陳列スペースに陳列されている同一カテゴリの複数の商品に対して連続した表示順位を割り当てることにより、それらの商品のお得情報がまとまって表示されるようにしてもよい。また、付近取扱店舗の中に、所定陳列スペースに陳列された同一カテゴリに属する商品と、これらの商品とは別の商品が存在する場合、お得情報表示制御部１１４は、所定陳列スペースに陳列された同一カテゴリに属する商品の表示の優先順位を、他の商品の優先順位より高くしてもよい。図１０（ｂ）は、お得情報の表示例を示す図である。図１０（ｂ）に示すお得情報一覧ページ２００には、商品３２５、３２４、３２１、３２２及び３２３にそれぞれ対応するお得情報２０１−１〜２０１−５が、この順序で表示されている。
【００６６】
お得情報表示制御部１１４は、ビーコンを利用した端末位置情報を用いて、所定陳列スペースに陳列された同一カテゴリに属する商品のお得情報の表示を制御してもよい。この場合、例えば所定陳列スペース付近にビーコンが設置される。お得情報表示制御部１１４は、例えば、ＧＰＳ又は基地局を利用した端末位置情報から、登録店舗に対応する所定範囲内にユーザ端末３が位置していると判定したが、ビーコンからビーコン情報を受信することができる範囲内にそのユーザ端末３が位置していないと判定した場合、所定陳列スペースに陳列されているか否かに関わらず、その登録店舗の取扱商品について、お得情報を表示させる。一方、お得情報表示制御部１１４は、ビーコンからビーコン情報を受信することができる範囲内にユーザ端末３が位置していると判定した場合、所定陳列スペースに陳列された同一カテゴリに属する複数の商品のお得情報を同時に表示させる。また、同一店舗内において、所定の複数の陳列スペースそれぞれにＩＣタグリーダが設置されてもよい。そして、これら複数の陳列スペースそれぞれに対してビーコンが設置されてもよい。店舗ＤＢ１４ｃには、例えば、陳列スペースとこれに対応するビーコンとの組み合わせごとに、陳列スペースＩＤとビーコンＩＤとが関連付けて記憶される。お得情報表示制御部１１４は、端末位置情報としてのビーコンＩＤに基づいて、如何なる陳列スペースについてお得情報を表示させるかを制御してもよい。
【００６７】
なお、所定陳列スペースにおける商品の陳列状況をＩＣタグリーダ３１０等の検出装置により検出するのではなく、登録店舗の店員等がその店舗の事情等により手作業で所定陳列スペース又は各陳列スペースにおける商品の陳列状況等の情報を入力してもよい。これにより、商品状況ＤＢ２１において陳列スペースＩＤ等の陳列状況を示す情報等が更新されてもよい。そして、店舗サーバ２の商品状況ＤＢ２１と情報提供サーバ１の店舗商品状況ＤＢ１４ｆとの間で陳列状況等の情報が常時連携されてもよい。
【００６８】
［４．情報提供システムの動作］
次に、情報提供システムＳの動作について、図１１を用いて説明する。図１１は、情報提供サーバ１のシステム制御部１１によるお得情報提供処理の一例を示すフローチャートである。お得情報提供処理は、例えばユーザ端末３からお得情報一覧ページの要求を情報提供サーバ１が受信したときに実行される。この要求は、例えば要求を送信したユーザ端末３を利用するユーザのユーザＩＤ及び端末位置情報を含む。
【００６９】
図１１に示すように、端末位置情報取得部１１１は、受信された要求から端末位置情報を取得する（ステップＳ１）。次いで、店舗位置情報取得部１１２は、店舗ＤＢ１４ｃから、店舗位置情報に示される位置に対応する所定範囲が、端末位置情報に示されるユーザ端末３の位置を含む店舗を、付近登録店舗として検索する（ステップＳ２）。例えば、端末位置情報が、ＧＰＳ又は基地局を利用してユーザ端末３が取得した情報である場合、店舗位置情報取得部１１２は、端末位置情報に示される位置から店舗位置情報に示される位置までの距離を店舗ごとに計算する。店舗位置情報取得部１１２は、計算された距離が所定距離以下である店舗を、付近登録店舗として特定する。端末位置情報がビーコンＩＤである場合、店舗位置情報取得部１１２は、このビーコンＩＤと同一のビーコンＩＤを店舗位置情報に含む店舗を、付近登録店舗として検索する。
【００７０】
次いで、店舗位置情報取得部１１２は、付近登録店舗が見つかったか否かを判定する（ステップＳ３）。付近登録店舗が見つからなかったと判定された場合（ステップＳ３：ＮＯ）、処理はステップＳ４に進む。ステップＳ４において、お得情報表示制御部１１４は、ユーザの属性に応じた商品の情報を取得する。例えば、お得情報表示制御部１１４は、受信された要求に含まれるユーザＩＤに対応する属性を会員ＤＢ１４ａから取得する。お得情報表示制御部１１４は、取得された属性に合致するユーザ属性情報に関連付けられた商品ＩＤを、商品ＤＢ１４ｂから検索する。そして、お得情報表示制御部１１４は、検索された商品ＩＤに関連付けられた商品情報を、商品ＤＢ１４ｂから取得する。また例えば、お得情報表示制御部１１４は、ユーザＩＤに対応する属性情報をユーザ属性ＤＢ１４ｅから取得する。お得情報表示制御部１１４は、取得された属性情報に合致する商品ＩＤ、又は属性情報に合致するカテゴリＩＤに関連付けられた商品ＩＤを、商品ＤＢ１４ｂから検索する。そして、お得情報表示制御部１１４は、検索された商品ＩＤに関連付けられた商品情報を、商品ＤＢ１４ｂから取得する。次いで、お得情報表示制御部１１４は、取得された情報に基づいて、ユーザの属性に応じた各商品のお得情報を生成する。そして、お得情報表示制御部１１４は、これらのお得情報を含むお得情報一覧ページを生成して、ユーザ端末３へ送信する（ステップＳ５）。
【００７１】
ステップＳ３において、付近登録店舗が見つかったと判定された場合（ステップＳ３：ＹＥＳ）、処理はステップＳ６に進む。ステップＳ６において、お得情報表示制御部１１４は、付近登録店舗で取り扱われている各商品の情報を、商品ＤＢ１４ｂ及び店舗商品状況ＤＢ１４ｆそれぞれから取得する。次いで、お得情報表示制御部１１４は、店舗商品状況ＤＢ１４ｆから取得された在庫情報に基づいて、付近登録店舗で取り扱われている商品のうち、その店舗に存在している商品を抽出する（ステップＳ７）。次いで、お得情報表示制御部１１４は、付近登録店舗に存在している各商品について、現時点から店舗商品状況ＤＢ１４ｆから取得された販売期限までの残時間を計算する。お得情報表示制御部１１４は、計算された残時間に応じて、各商品のポイント数を決定する（ステップＳ８）。
【００７２】
次いで、お得情報表示制御部１１４は、ステップＳ４と同様に、ユーザの属性に応じた商品の情報を取得する（ステップＳ９）。次いで、お得情報表示制御部１１４は、付近登録店舗に存在している商品の表示の優先順位を、ユーザの属性に応じた商品であるもののその付近登録店舗に存在していない商品の表示の優先順位よりも上位に設定する（ステップＳ１０）。次いで、お得情報表示制御部１１４は、ユーザ端末３が、付近登録店舗において所定陳列スペース付近に位置しているか否かを判定する（ステップＳ１１）。例えば、ユーザ端末３から受信された要求に含まれる端末位置情報がビーコンＩＤであり、店舗ＤＢ１４ｃにおいて、付近登録店舗についてそのビーコンＩＤと何らかの陳列スペースＩＤが関連付けて記憶されている場合、お得情報表示制御部１１４は、ユーザ端末３が所定陳列スペース付近に位置していると判定する（ステップＳ１１：ＹＥＳ）。この場合、お得情報表示制御部１１４は、所定陳列スペースに陳列されている同一カテゴリに属する複数の商品の表示順位を、他の商品の表示順位よりも上位に設定する（ステップＳ１２）。このとき、お得情報表示制御部１１４は、所定陳列スペースの陳列スペースＩＤに関連付けられた商品ＩＤを、商品ＤＢ１４ｂから検索する。お得情報表示制御部１１４は、検索された商品ＩＤに関連付けられたカテゴリＩＤに基づいて、所定陳列スペースに陳列されている商品のうち、同一カテゴリに属する複数の商品を特定する。
【００７３】
ステップＳ１１において、ユーザ端末３が所定陳列スペース付近に位置していないと判定された場合（ステップＳ１１：ＮＯ）、又はステップＳ１２が完了した場合、処理はステップＳ１３に進む。ステップＳ１３において、お得情報表示制御部１１４は、付近登録店舗取扱商品に存在している商品のうち、ユーザの属性に応じた商品の表示の優先順位を、他の商品の優先順位よりも上位に設定する。ステップＳ１２の後にステップＳ１３が実行される場合、お得情報表示制御部１１４は、所定陳列スペースに陳列されている商品のうち、ユーザの属性に応じた商品の表示の優先順位を、他の商品の優先順位よりも上位に設定してもよい。
【００７４】
次いで、お得情報表示制御部１１４は、ステップＳ６で商品ＤＢ１４ｂから取得された情報に基づいて、付近登録店舗に存在している各商品及びユーザの属性に応じた各商品のお得情報を生成する。ここで、お得情報表示制御部１１４は、付近登録店舗に存在している商品について、ステップＳ８で決定されたポイント数を示すポイント情報を、お得情報に含める。そして、お得情報表示制御部１１４は、生成されたお得情報を、ステップＳ１０、１２及び１３で設定された優先順位に対応した順序で含むお得情報一覧ページを生成して、ユーザ端末３へ送信する（ステップＳ１４）。ステップＳ５又はＳ１４が完了すると、お得情報提供処理は終了する。
【００７５】
以上説明したように、本実施形態によれば、システム制御部１１が、ユーザ端末３の位置を示す端末位置情報を取得する。また、システム制御部１１が、複数の店舗のうち登録店舗の位置を示す店舗位置情報を記憶する記憶部１４から、店舗位置情報を取得する。また、システム制御部１１が、端末位置情報に示されるユーザ端末３の位置が、店舗位置情報に示される登録店舗の位置に対応した所定範囲内にない場合、複数の店舗の少なくとも何れかで販売される商品であって、ユーザの属性に応じたユーザ属性対応商品の広告を示すお得情報をユーザ端末３に表示させる。また、システム制御部１１が端末位置情報に示されるユーザ端末３の位置が所定範囲内にある場合、登録店舗で取り扱われている付近登録店舗取扱商品の広告を示すお得情報をユーザ端末３に表示させる。従って、ユーザと登録店舗との位置関係に応じて、店舗で販売される商品の売り上げが効率的に増大するように広告を表示させることができる。
【００７６】
また、システム制御部１１が、ユーザの属性に応じたユーザ属性対応商品のうち、登録店舗で取り扱われている付近登録店舗取扱商品について、お得情報を表示させてもよい。この場合、登録店舗で取り扱われている商品がユーザに購入される蓋然性を高めることができる。
【００７７】
また、付近登録店舗取扱商品のお得情報は、付近登録店舗取扱商品に関する商品特定情報と、付近登録店舗取扱商品を購入したユーザに対して付与される特典の価額を示す特典情報と、を含んでもよい。また、登録店舗について、付近登録店舗取扱商品の販売期限が設定されてもよい。また、システム制御部１１は、販売期限までの残時間が短いほど、特典の価額としてより高い価額を示す特典情報を含むお得情報を表示させてもよい。この場合、商品が売れ残ることにより回収又は破棄せざるを得ない商品の数を減少させることができる。
【００７８】
また、システム制御部１１が、登録店舗で取り扱われている少なくとも一の商品それぞれのその登録店舗における存在状況を管理する店舗サーバ２から、存在状況を示す在庫情報を受信してもよい。また、システム制御部１１が、在庫情報に基づいて、少なくとも一の商品のうち登録店舗に存在している商品を、お得情報を表示させる付近登録店舗取扱商品として特定してもよい。この場合、ユーザが、広告情報が表示された商品をその登録店舗で購入しようとしたにもかかわらず、その商品がなかったという事態の発生を抑制することができる。
【００７９】
また、システム制御部１１が、ユーザ属性対応商品のお得情報及び付近登録店舗取扱商品のお得情報の両方を表示させてもよい。この場合、ユーザが何れの条件を満たす商品を購入するとしても、商品がユーザに購入される蓋然性を高めることができる。
【００８０】
また、システム制御部１１が、登録店舗における商品の陳列スペースのうち、所定陳列スペースに陳列されている、同一カテゴリに属する複数の付近登録店舗取扱商品それぞれの複数のお得情報を同時に表示させてもよい。この場合、店舗で販売される商品の売り上げを増大させることができる。
【００８１】
また、システム制御部１１が、所定陳列スペースに陳列されている商品を検出するＩＣタグリーダから出力された、検出された商品を示す商品ＩＤ及び陳列スペースＩＤを取得してもよい。また、システム制御部１１が、取得された商品ＩＤ及び陳列スペースＩＤに基づいて、所定陳列スペースに陳列されている、同一カテゴリに属する複数の付近登録店舗取扱商品を特定してもよい。この場合、所定陳列スペースに陳列されている商品を適切に特定することができる。
【００８２】
また、ユーザの属性は、そのユーザによる商品の購入履歴に基づいて設定されてもよい。この場合、ユーザ自身により登録された属性の情報以外からでも、そのユーザの属性を特定することができる。
【符号の説明】
【００８３】
１  情報提供サーバ
２  店舗サーバ
３  ユーザ端末
１１  システム制御部
１２  システムバス
１３  入出力インターフェース
１４  記憶部
１４ａ  会員ＤＢ
１４ｂ  商品ＤＢ
１４ｃ  店舗ＤＢ
１４ｄ  購入履歴ＤＢ
１４ｅ  ユーザ属性ＤＢ
１４ｆ  店舗商品状況ＤＢ
１５  通信部
２１  商品状況ＤＢ
１１１  端末位置情報取得部
１１２  店舗位置情報取得部
１１３  店舗商品状況取得部
１１４  お得情報表示制御部
ＮＷ  ネットワーク
Ｓ  情報提供システム
【図１】
2020201582.tif 000003
【図２】
2020201582.tif 000004
【図３】
2020201582.tif 000005
【図４】
2020201582.tif 000006
【図５】
2020201582.tif 000007
【図６】
2020201582.tif 000008
【図７】
2020201582.tif 000009
【図８】
2020201582.tif 000010
【図９】
2020201582.tif 000011
【図１０】
2020201582.tif 000012
【図１１】
2020201582.tif 000013